(57)【特許請求の範囲】
【請求項１】
各々が同一の対象における電力を計測する複数の計測手段と；
前記複数の計測手段のうち、一の計測手段を選択する選択部と；
前記選択部により選択された前記一の計測手段により計測された前記同一の対象における電力に関する情報を出力部に出力する処理を制御する制御部と；
を具備し、
前記制御部は、
前記一の計測手段により計測される電力と前記一の計測手段以外の他の計測手段により計測される電力とが所定の閾値以上相違する場合、相違することを示す情報を前記出力部に出力する
ことを特徴とする計測管理システム。
【請求項２】
各々が同一の対象における電力を計測する複数の計測手段と；
前記複数の計測手段のうち、一の計測手段を選択する選択部と；
前記選択部により選択された前記一の計測手段により計測された前記同一の対象における電力に関する情報を出力部に出力する処理を制御する制御部と；
前記一の計測手段により計測される電力と前記一の計測手段以外の他の計測手段により計測される電力とが正負を反転させた値である場合、前記他の計測手段による電力の計測値を反転するように設定を変更する設定部と；  
を具備することを特徴とする計測管理システム。
【請求項３】
前記複数の計測手段の各々の電力の計測に関する設定は、変更可能である、
ことを特徴とする請求項２に記載の計測管理システム。
【請求項４】
前記選択部は、前記複数の計測手段のうち、前記複数の計測手段に付された優先度に基づいて前記一の計測手段を選択する
ことを特徴とする請求項１〜３のいずれか１項に記載の計測管理システム。
【請求項５】
前記選択部は、前記複数の計測手段のうち、ユーザによる一の計測手段の指定に基づいて前記一の計測手段を選択する
ことを特徴とする請求項１〜３のいずれか１項に記載の計測管理システム。
【請求項６】
各々が同一の対象における電力を計測する複数の計測手段のうち、一の計測手段を選択する選択部と；
前記選択部により選択された前記一の計測手段により計測された電力に関する情報を出力部に出力する処理を制御する制御部と；
を具備し、
前記制御部は、
前記一の計測手段により計測される電力と前記一の計測手段以外の他の計測手段により計測される電力とが所定の閾値以上相違する場合、相違することを示す情報を前記出力部に出力する
ことを特徴とする制御装置。
【請求項７】
各々が同一の対象における電力を計測する複数の計測手段のうち、一の計測手段を選択する選択ステップと；
選択された前記一の計測手段により計測された前記同一の対象における電力に関する情報を出力部に出力する処理を制御する制御ステップと；
を有し、
前記制御ステップは、
前記一の計測手段により計測される電力と前記一の計測手段以外の他の計測手段により計測される電力とが所定の閾値以上相違する場合、相違することを示す情報を前記出力部に出力する
ことを特徴とする制御方法。
【発明の詳細な説明】
【技術分野】
【０００１】
本発明の実施形態は、計測管理システム、制御装置、および制御方法に関する。
【背景技術】
【０００２】
近年、ＨＥＭＳ（Home  Energy  Management  System）等、家庭内のエネルギーの消費や生成を一元的に管理して制御するシステムが提供されている。このようなシステムにおいては、エネルギーの消費や生成の可視化、いわゆる見える化のために種々の情報を出力したりする。
【先行技術文献】
【特許文献】
【０００３】
【特許文献１】特開２０１４−２０８４０号公報
【発明の概要】
【発明が解決しようとする課題】
【０００４】
しかしながら、上記のようなシステムにおいては、例えば、複数の計測手段が同一の対象における電力を計測する場合、どの計測手段により計測された電力に関する情報を出力するかをシステムが適切に選択することは難しい。
【０００５】
本発明は、複数の計測手段が同一の対象における電力を計測する場合であっても、適切に電力に関する情報を出力することを可能にする計測管理システム、制御装置、および制御方法を提供することを目的とする。
【課題を解決するための手段】
【０００６】
本実施形態の計測管理システムは、複数の計測手段と、選択部と、制御部とを有する。複数の計測手段は、各々が同一の対象における電力を計測する。選択部は、複数の計測手段のうち、一の計測手段を選択する。制御部は、選択部により選択された一の計測手段により計測された同一の対象における電力に関する情報を出力部に出力する処理を制御する。制御部は、一の計測手段により計測される電力と一の計測手段以外の他の計測手段により計測される電力とが所定の閾値以上相違する場合、相違することを示す情報を出力部に出力する。
【発明の効果】
【０００７】
本発明によれば、複数の計測手段が同一の対象における電力を計測する場合であっても、適切に電力に関する情報を出力することを可能にすることができる。
【図面の簡単な説明】
【０００８】
【図１】図１は、実施形態に係る計測管理システムにおける電力に関する情報の出力の一例を示す図である。
【図２】図２は、実施形態に係る計測情報記憶部に記憶される情報の一例を示す図である。
【図３】図３は、実施形態に係る設定情報記憶部に記憶される情報の一例を示す図である。
【図４】図４は、実施形態に係る制御装置の構成を示すブロック図である。
【図５】図５は、実施形態に係る計測管理システムにおける電力に関する情報の出力の一例を示すフローチャートである。
【図６】図６は、実施形態に係る計測管理システムにおける電力に関する情報の出力の一例を示す図である。
【図７】図７は、実施形態に係る計測管理システムのスマートメータと計測ユニットの計測値が異なる場合における処理の一例を示す図である。
【図８】図８は、実施形態に係る計測管理システムのスマートメータと計測ユニットの計測値が異なる場合における処理の一例を示すフローチャートである。
【発明を実施するための形態】
【０００９】
以下で説明する実施形態に係る計測管理システム１は、各々が同一の対象における電力を計測する複数の計測手段のうち、一の計測手段を選択する選択部１３２と、選択部１３２により選択された一の計測手段により計測された同一の対象における電力に関する情報を出力する出力部１５０とを具備する。
【００１０】
また、以下で説明する実施形態に係る計測管理システム１において、出力部１５０は、複数の計測手段のうち所定の計測手段（実施形態においては「スマートメータＭＴ」。以下同じ）により計測される電力と所定の計測手段以外の他の計測手段（実施形態においては「計測ユニットＭＵ」。以下同じ）により計測される同一の対象における電力とが所定の閾値以上相違する場合、計測ユニットＭＵに関する情報を出力する。
【００１１】
また、以下で説明する実施形態に係る計測管理システム１は、計測手段による電力の計測に関する設定を変更可能に構成される。
【００１２】
また、以下で説明する実施形態に係る計測管理システム１は、複数の計測手段のうち所定の計測手段により計測される電力と所定の計測手段以外の他の計測手段により計測される同一の対象における電力とが所定の条件を満たす場合、他の計測手段による電力の計測に関する設定を変更する設定部１３３を具備する。
【００１３】
また、以下で説明する実施形態に係る計測管理システム１において、選択部１３２は、複数の計測手段のうち、複数の計測手段に付された優先度に基づいて一の計測手段を選択する。
【００１４】
また、以下で説明する実施形態に係る計測管理システム１において、選択部１３２は、複数の計測手段のうち、ユーザによる一の計測手段の指定に基づいて一の計測手段を選択する。
【００１５】
［実施形態］
まず、本発明の実施形態に係る計測管理システム１を図１に基づいて説明する。図１は、実施形態に係る計測管理システムにおける電力に関する情報の出力の一例を示す図である。
【００１６】
図１の例では、計測管理システム１は、ユーザ（需要家）の住宅ＨＭに設けられ、蓄電池ＢＴを所定の電力系統ＣＰから供給される電力や太陽光パネルＰＮにより生成された電力により充電したり、蓄電池ＢＴを充電した電力を負荷である電気機器ＬＤ等に供給したりする。
【００１７】
［計測管理システム］
図１に示すように、計測管理システム１は、制御装置１００と、蓄電池ＢＴと、蓄電池用分電盤ＶＤと、住宅用分電盤ＨＤと、スマートメータＭＴと、計測ユニットＭＵと、ホームゲートウェイＧＷと、太陽光パネルＰＮと、パワーコンディショナＰＣと、を具備する。このように、図１に示す計測管理システム１は、ホームゲートウェイＧＷを経由して所定のネットワークＮＴに接続可能である。また、計測管理システム１の住宅ＨＭに設けられた各構成は、ネットワークＮＴにより住宅ＨＭ外に設けられたサーバＳＶ等との間で情報の送受信が可能である。例えば、図１において、各構成間を結ぶ実線は電気的な接続関係を示し、各構成間を結ぶ点線は情報の送受信が可能な接続関係を示す。なお、計測管理システム１の各構成の接続関係は図１に示した接続関係に限らず、他の接続関係であってもよい。例えば、実線で結ばれた各構成間において情報の送受信が可能であってもよいし、点線で結ばれた各構成間において電気的な接続関係があってもよい。なお、図１に示す構成は一例であって、計測管理システム１は他の構成であってもよい。例えば、計測管理システム１において、スマートメータＭＴとホームゲートウェイＧＷとは通信可能であり、パワーコンディショナＰＣと計測ユニットＭＵとは通信可能であり、計測ユニットＭＵとホームゲートウェイＧＷとは通信可能である。例えば、パワーコンディショナＰＣと計測ユニットＭＵとは、所定の通信規格（例えば、ＲＳ−４８５）により通信可能である。また、例えば、計測管理システム１において、蓄電池ＢＴはホームゲートウェイＧＷ及びサーバＳＶと通信可能であり、制御装置１００はホームゲートウェイＧＷ及びサーバＳＶと通信可能である。また、ホームゲートウェイＧＷは、所定の通信手段（例えば、電力メータ情報発信サービス（Ｂルートサービス））によりスマートメータＭＴと通信可能である。また、例えば、ホームゲートウェイＧＷには、計測ユニットＭＵ、蓄電池ＢＴ、及び電気機器ＬＤがＨＡＮ（Home  Area  Network）として接続される。
【００１８】
なお、計測管理システム１における電力を計測する各構成を区別なく記載する場合は、計測手段と記載する場合がある。例えば、電力系統ＣＰからの供給電力を計測するスマートメータＭＴと計測ユニットＭＵとを区別なく記載する場合は、「２つの計測手段」や「複数の計測手段」と記載する場合がある。また、以下では、計測管理システム１における電力計測の対象となる電力系統ＣＰからの供給電力や太陽光パネルＰＮの発電電力を、「計測対象」や単に「対象」と記載する場合がある。また、図１では、ホームゲートウェイＧＷが、各計測手段の計測値等の各種情報を保有する場合の例として示す。
【００１９】
制御装置１００は、計測管理システム１の各構成の動作を制御したり、計測管理システム１の各構成から取得した各種情報を表示したりするために用いられる。制御装置１００は、ユーザに利用される情報処理装置である。制御装置１００は、ユーザが利用可能な情報処理装置であればどのような情報処理装置であってもよく、例えば、スマートフォンや、タブレット型端末や、ノート型ＰＣ（Personal  Computer）や、携帯電話機や、ＰＤＡ（Personal  Digital  Assistant）等により実現される。なお、制御装置１００は、計測管理システム１の専用端末（装置）であってもよい。各種情報の表示は、ホームゲートウェイＧＷまたはサーバＳＶに保存された各種情報を、制御装置１００のブラウザ機能を用いて表示される。すなわち、制御装置１００は、ホームゲートウェイＧＷやサーバＳＶと通信可能である。例えば、制御装置１００は、ホームゲートウェイＧＷを介して、または直接サーバＳＶと通信可能である。なお、制御装置１００に各種情報を保存して表示するようにしてもよい。制御装置１００は、計測管理システム１における各種情報をユーザに通知したり、計測管理システム１に対するユーザの操作を受け付けたりするコントローラとしての機能を有する。
【００２０】
例えば、制御装置１００は、操作部１４０により計測管理システム１に対するユーザの操作を受け付ける。具体的には、制御装置１００は、操作部１４０により同一の対象における電力を計測する複数の計測手段のうち、一の計測手段の選択（指定）をユーザから受け付ける。また、例えば、制御装置１００は、計測管理システム１に関する情報を表示する出力部１５０を有する。具体的には、制御装置１００は、出力部１５０により、ユーザに選択された一の計測手段により計測された電力に関する情報を出力する。なお、出力部１５０は、情報を出力可能であれば、どのような構成であってもよい。例えば、出力部１５０は、情報を表示するモニタであってもよいし、情報を音として出力するスピーカであってもよい。以下では、出力部１５０が情報を表示するモニタである場合を例に説明する。
【００２１】
例えば、制御装置１００は、複数の計測手段のうち、複数の計測手段に付された優先度に基づいて選択した一の計測手段により計測された電力に関する情報を出力してもよい。この場合、制御装置１００は、例えば、ユーザから事前に複数の計測手段への優先度の指定を受け付け、その優先度に基づいて選択した一の計測手段により計測された電力に関する情報を出力してもよい。
【００２２】
スマートメータＭＴは、電力系統ＣＰから供給された電力、すなわち電力系統ＣＰから買電した電力や、電力系統ＣＰ側へ供給した電力、すなわち売電した電力を計量するメータである。すなわち、スマートメータＭＴは、電力系統ＣＰから供給される電力を計測する。また、スマートメータＭＴは、計測した電力系統ＣＰから供給される電力に関する情報を、ホームゲートウェイＧＷに送信する。例えば、スマートメータＭＴは、図示しない変流器（ＣＴ：Current  Transformer）等により、電力系統ＣＰから供給される電力を計測する。例えば、スマートメータＭＴは、売電した電力を計量するメータと、買電した電力を計量するメータとを各々含んでもよい。例えば、スマートメータＭＴは、住宅用分電盤ＨＤと電力系統ＣＰとの間に設けられ、売電した電力を計量したり、買電した電力を計量したりする。また、スマートメータＭＴの計測情報は、ホームゲートウェイＧＷを介して制御装置１００に表示させることができる。なお、スマートメータＭＴは、所定の条件を満たす（例えば、制御装置１００が直接通信可能な機器として認証済みである）場合、制御装置１００と直接通信可能であってもよい。
【００２３】
計測ユニットＭＵは、計測管理システム１における各位置の電力等を計測するユニットである。例えば、計測ユニットＭＵは、例えばＣＴ（Current  Transformer）等により住宅用分電盤ＨＤに接続され、住宅用分電盤ＨＤを経由して供給される電力を計測する。また、計測ユニットＭＵの計測情報は、ホームゲートウェイＧＷを介して制御装置１００に表示させることができる。なお、計測ユニットＭＵは、住宅用分電盤ＨＤに配置されてもよい。
【００２４】
また、図１の例では、計測ユニットＭＵは、所定の計測器ＣＴ１より、電力系統ＣＰから供給される電力を計測する。例えば、計測器ＣＴ１には、変流器が用いられる。また、計測ユニットＭＵは、計測器ＣＴ１により計測した電力系統ＣＰから供給される電力に関する情報を制御装置１００へ送信する。また、計測ユニットＭＵは、所定の計測器ＣＴ２より、太陽光パネルＰＮが生成する電力を計測する。例えば、計測器ＣＴ２には、変流器が用いられる。また、計測ユニットＭＵは、計測器ＣＴ２により計測した太陽光パネルＰＮが生成する電力に関する情報を制御装置１００へ送信する。なお、計測器ＣＴ２は、太陽光パネルＰＮとパワーコンディショナＰＣの間に取り付けられてもよい。
【００２５】
ホームゲートウェイＧＷは、ネットワークＮＴと住宅ＨＭ内のネットワーク、すなわち計測管理システム１のネットワークとの間の情報の送受信を可能にするネットワーク機器である。なお、ホームゲートウェイＧＷとネットワークＮＴとの間に、所定の中継機器（例えばブロードバンドルータ）等が設けられる場合があるが、図１においては説明を省略する。また、ホームゲートウェイＧＷは、計測管理システム１の各構成間の情報の送受信を可能にする。例えば、ホームゲートウェイＧＷは、制御装置１００とサーバＳＶとの間の情報の送受信を可能にする。すなわち、図１に示す例においては、ホームゲートウェイＧＷを経由して接続される計測管理システム１の住宅ＨＭに設けられた各構成やサーバＳＶ等が所定のネットワークシステムを形成する。
【００２６】
また、図１に示すように、ホームゲートウェイＧＷは、計測情報記憶部２１と設定情報記憶部２２とを含む記憶部２０を有する。記憶部２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部２０は、図１に示すように、計測情報記憶部２１と設定情報記憶部２２を有する。
【００２７】
計測情報記憶部２１は、スケジュール動作時に用いるスケジュールに関する情報を記憶する。図２は、実施形態に係る計測情報記憶部に記憶される情報の一例を示す図である。具体的には、図２は、計測管理システム１における電力の計測に関する情報の一例を示す。図２に示すように、計測情報記憶部２１は、電力の計測に関する情報として、「計測対象」、「計測手段」、「優先度」、「計測値」といった項目を有する。
【００２８】
「計測対象」は、計測管理システム１における電力を計測する対象を示す。「計測手段」は、計測管理システム１における電力を計測する手段を示す。また、「優先度」は、計測管理システム１における各計測対象に対する各計測手段の優先度を示す。なお、優先度を用いた計測手段の自動選択を行わない場合、計測情報記憶部２１は、「優先度」の項目を有さなくてもよい。また、「計測値」は、対応する計測対象の電力を対応する計測手段で計測した場合の計測値を示す。例えば、「計測値」は、対応する計測対象の電力を対応する計測手段で計測した場合の電力値を示す。
【００２９】
図２の例において、計測対象「Ｔ１１（供給電力）」、すなわち電力系統ＣＰから供給される電力は、スマートメータＭＴ、計測ユニットＭＵ及び蓄電池ＢＴの３つの計測手段の各々により計測されることを示す。また、電力系統ＣＰから供給される電力を計測するスマートメータＭＴ、計測ユニットＭＵ及び蓄電池ＢＴの３つの計測手段には優先度が付されていないことを示す。
【００３０】
また、図２の例において、スマートメータＭＴにより計測された電力系統ＣＰから供給される電力は、計測値「ＭＶ１１」であることを示す。また、計測ユニットＭＵにより計測された電力系統ＣＰから供給される電力は、計測値「ＭＶ１２」であることを示す。また、蓄電池ＢＴにより計測された電力系統ＣＰから供給される電力は、計測値「ＭＶ１３」であることを示す。
【００３１】
また、図２の例において、計測対象「Ｔ１２（発電電力）」、すなわち太陽光パネルＰＮが生成する電力は、パワーコンディショナＰＣ及び計測ユニットＭＵの２つの計測手段の各々により計測されることを示す。また、太陽光パネルＰＮが生成する電力を計測するパワーコンディショナＰＣ及び計測ユニットＭＵの２つの計測手段には優先度が付されていないことを示す。
【００３２】
また、図２の例において、パワーコンディショナＰＣにより計測された太陽光パネルＰＮが生成する電力は、計測値「ＭＶ２１」であることを示す。また、計測ユニットＭＵにより計測された太陽光パネルＰＮが生成する電力は、計測値「ＭＶ２２」であることを示す。なお、上記は一例であって、計測情報記憶部２１が有する項目は上記に限らず、計測情報記憶部２１は、目的に応じて種々の情報を記憶してもよい。
【００３３】
設定情報記憶部２２は、計測ユニットＭＵの計測に関する設定情報を記憶する。図３は、実施形態に係る設定情報記憶部に記憶される情報の一例を示す図である。具体的には、図３は、計測ユニットＭＵにより計測された電力系統ＣＰから供給される電力（計測値）を反転するか否かの情報の一例を示す。図３に示すように、設定情報記憶部２２は、計測ユニットＭＵの計測に関する設定情報として、「設定情報」などといった項目を有する。なお、設定情報記憶部２２が有する項目は上記に限らず、設定情報記憶部２２は、目的に応じて種々の情報を記憶してもよい。「設定情報」は、計測ユニットＭＵの計測値を反転するか否かの情報を示す。図３の例において、設定情報には「通常」が記憶されており、計測ユニットＭＵの計測値は反転されないことを示す。なお、設定情報を変更する場合や、設定情報に「反転」が記憶される場合については後述する。なお、計測ユニットＭＵの計測に関する設定を行わない場合、ホームゲートウェイＧＷは、設定情報記憶部２２を有さなくてもよい。
【００３４】
なお、計測情報記憶部２１に記憶される情報や設定情報記憶部２２に記憶される情報はサーバＳＶに記憶されてもよい。また、ホームゲートウェイＧＷは、サーバＳＶから計測情報記憶部２１に記憶される情報や設定情報記憶部２２に記憶される情報を取得可能な場合、計測情報記憶部２１と設定情報記憶部２２を有さなくてもよい。
【００３５】
太陽光パネルＰＮは、例えば、太陽電池素子（セル）を必要枚数配列し、樹脂や強化ガラスなどによりパッケージ化した太陽電池モジュールであり、ソーラーパネルとも呼ばれる。なお、太陽光パネルＰＮに用いられるセルは、どのようなセルであってもよい。例えば、太陽光パネルＰＮに用いられるセルは、シリコン系のセルや化合物系のセルや有機系のセルなど、目的に応じて種々のセルが適宜選択されてもよい。なお、計測管理システム１は、太陽光パネルＰＮを有さなくてもよい。
【００３６】
パワーコンディショナＰＣは、パワコン、ＰＣＳ（Power  Conditioning  System）とも称される装置であって、太陽光パネルＰＮから接続箱（図示せず）を経由して送信される電力を、住宅ＨＭ内の電気機器ＬＤなどで利用可能にする装置である。例えば、パワーコンディショナＰＣは、太陽光パネルＰＮから接続箱を経由して送信される直流電力を交流電力に変換する。また、例えば、パワーコンディショナＰＣは、交流電力に変換した後、電力を住宅ＨＭ内での利用や、蓄電池ＢＴへの充電や、電力系統ＣＰへの売電などに対応する出力に調整する。
【００３７】
また、図１の例では、パワーコンディショナＰＣは、太陽光パネルＰＮが生成する電力を計測する。また、パワーコンディショナＰＣは、計測した太陽光パネルＰＮが生成する電力に関する情報を、計測ユニットＭＵを介しまたは直接ホームゲートウェイＧＷに送信する。例えば、パワーコンディショナＰＣは、図示しない変流器等により、太陽光パネルＰＮが生成する電力を計測する。
【００３８】
蓄電池ＢＴは、住宅ＨＭで用いられる二次電池（バッテリ）である。例えば、蓄電池ＢＴは、電力系統ＣＰから供給される電力や太陽光パネルＰＮにより生成された電力により充電される。また、例えば、蓄電池ＢＴは、蓄えた電力を蓄電池用分電盤ＶＤや住宅用分電盤ＨＤを経由して住宅ＨＭ内の電気機器ＬＤに供給する。例えば、蓄電池ＢＴは、蓄電池用分電盤ＶＤを経由して電気機器ＬＤのうち選定負荷ＳＬに電力を供給する。また、例えば、蓄電池ＢＴは、住宅用分電盤ＨＤを経由して電気機器ＬＤのうち一般負荷ＮＬに電力を供給する。例えば、蓄電池ＢＴは、停電時においては、蓄電池用分電盤ＶＤを経由して選定負荷ＳＬのみに電力を供給する。
【００３９】
なお、蓄電池ＢＴは、充電を行うことにより電気を蓄えることができ、繰り返し充放電して使用することが出来る電池であればどのような電池であってもよい。例えば、蓄電池ＢＴとしては、リチウムイオン電池や鉛電池やニッケル水素電池など、目的に応じて種々の蓄電池が適宜選択されてもよい。また、蓄電池ＢＴは、電力を蓄える機能を有すればどのような構成であってもよく、例えば、電気自動車やプラグインハイブリッド自動車等であってもよい。
【００４０】
また、図１の例では、蓄電池ＢＴは、所定の計測器ＣＴ３により、電力系統ＣＰから供給される電力を計測する。例えば、計測器ＣＴ３には、変流器が用いられる。また、蓄電池ＢＴは、計測器ＣＴ３により計測した電力系統ＣＰから供給される電力に関する情報をホームゲートウェイＧＷまたはサーバＳＶへ送信する。
【００４１】
蓄電池用分電盤ＶＤ及び住宅用分電盤ＨＤは、住宅ＨＭの配線に電気を分ける装置である。例えば、蓄電池用分電盤ＶＤ及び住宅用分電盤ＨＤは、漏電遮断器や配線用遮断器等の種々の機器を含む。例えば、蓄電池用分電盤ＶＤは、電力系統ＣＰや蓄電池ＢＴから供給される電力を住宅ＨＭの選択負荷ＳＬに供給したりする。また、例えば、住宅用分電盤ＨＤは、電力系統ＣＰや蓄電池ＢＴから供給される電力を住宅ＨＭの一般負荷ＮＬに供給したりする。なお、蓄電池用分電盤ＶＤと住宅用分電盤ＨＤとは一体であってもよい。
【００４２】
ここから、図１を用いてスケジュール動作時における計測管理システム１の動作について説明する。図１に示すように、計測管理システム１のスマートメータＭＴは、計測した電力系統ＣＰから供給される電力に関する情報をホームゲートウェイＧＷへ送信する（ステップＳ１１）。例えば、スマートメータＭＴは、電力系統ＣＰから供給される電力の計測値をホームゲートウェイＧＷへ送信する。
【００４３】
また、計測管理システム１の計測ユニットＭＵは、計測した電力系統ＣＰから供給される電力に関する情報や太陽光パネルＰＮが生成する電力に関する情報をホームゲートウェイＧＷへ送信する（ステップＳ１２）。例えば、計測ユニットＭＵは、計測器ＣＴ１により計測した電力系統ＣＰから供給される電力の計測値をホームゲートウェイＧＷへ送信する。また、例えば、計測ユニットＭＵは、計測器ＣＴ２により計測した太陽光パネルＰＮが生成する電力の計測値をホームゲートウェイＧＷへ送信する。
【００４４】
また、計測管理システム１のパワーコンディショナＰＣは、太陽光パネルＰＮが生成する電力に関する情報を計測ユニットＭＵを介しまたは直接ホームゲートウェイＧＷへ送信する（ステップＳ１３）。例えば、パワーコンディショナＰＣは、計測した太陽光パネルＰＮが生成する電力の計測値を計測ユニットＭＵまたはホームゲートウェイＧＷへ送信する。また、パワーコンディショナＰＣが計測した太陽光パネルＰＮが生成する電力の計測値を計測ユニットＭＵに送信する場合、計測ユニットＭＵは、自身の情報とパワーコンディショナＰＣから取得した情報とをホームゲートウェイＧＷへ送信してもよい。
【００４５】
また、計測管理システム１の蓄電池ＢＴは、計測した電力系統ＣＰから供給される電力に関する情報をホームゲートウェイＧＷへ送信する（ステップＳ１４）。例えば、蓄電池ＢＴは、計測した電力系統ＣＰから供給される電力の計測値をホームゲートウェイＧＷへ送信する。なお、ステップＳ１１〜Ｓ１４は、各構成の動作の説明のために付した順序であり、いずれの順序で処理が行われてもよい。例えば、ステップＳ１１〜Ｓ１４は、ステップＳ１５における指定までに制御装置１００で情報を表示可能な態様であれば、どのような順序で行われてもよい。
【００４６】
ここで、ステップＳ１４後においては、制御装置１００は、スマートメータＭＴ、計測ユニットＭＵ及び蓄電池ＢＴの３つの計測手段から取得した電力系統ＣＰから供給される電力の計測値を表示可能な状態となっている。すなわち、制御装置１００は、複数の計測手段から、同一の対象である電力系統ＣＰから供給される電力に関する情報を取得している。例えば、制御装置１００は、ホームゲートウェイＧＷから、同一の対象である電力系統ＣＰから供給される電力に関する情報を取得している。
【００４７】
また、ステップＳ１４後においては、制御装置１００は、計測ユニットＭＵ及びパワーコンディショナＰＣの２つの計測手段から取得した太陽光パネルＰＮが生成する電力の計測値を表示可能な状態となっている。すなわち、制御装置１００は、複数の計測手段から、同一の対象である太陽光パネルＰＮが生成する電力に関する情報を取得している。例えば、制御装置１００は、ホームゲートウェイＧＷから、同一の対象である太陽光パネルＰＮが生成する電力に関する情報を取得している。
【００４８】
そのため、電力系統ＣＰから供給される電力に関する情報や同一の対象である太陽光パネルＰＮが生成する電力に関する情報を出力する場合、制御装置１００は、どの計測手段により計測された電力に関する情報を出力するかを選択する。図１では、制御装置１００は、ユーザの指定に基づいて選択された計測手段により計測された電力に関する情報を出力する場合を示す。なお、以下では、電力系統ＣＰから供給される電力に関する情報を出力する場合を例に説明する。
【００４９】
ステップＳ１４後において、制御装置１００に対して、ユーザが電力系統ＣＰから供給される電力の計測手段を指定する（ステップＳ１５）。例えば、制御装置１００は、ユーザによる計測手段の指定を受け付けるために、出力部１５０に電力系統ＣＰから供給される電力を計測した複数の計測手段に関する情報を表示してもよい。例えば、制御装置１００は、出力部１５０にスマートメータＭＴ、計測ユニットＭＵ及び蓄電池ＢＴの３つの計測手段の名称等を表示してもよい。この場合、制御装置１００は、出力部１５０に表示したスマートメータＭＴ、計測ユニットＭＵ及び蓄電池ＢＴへのユーザの指定を受け付けることにより、ユーザの指定を取得する。例えば、図１では、ユーザがスマートメータＭＴを指定した場合を説明する。
【００５０】
ステップＳ１５後において、制御装置１００は、ユーザの指定した計測手段の計測値を表示する（ステップＳ１６）。図１では、制御装置１００は、スマートメータＭＴから取得した電力系統ＣＰから供給される電力の計測値を表示する。なお、制御装置１００は、ホームゲートウェイＧＷから計測手段の計測値を取得する場合、ユーザの指定した計測手段の計測値のみをホームゲートウェイＧＷから取得し、表示してもよい。
【００５１】
上述したように、計測管理システム１は、複数の計測手段が同一の対象における電力を計測する場合、ユーザの指定した計測手段により計測された電力に関する情報を出力することにより、複数の情報から適切な情報を選択して出力することができる。これにより、計測管理システム１は、複数の計測手段が同一の対象における電力を計測する場合であっても、適切に電力に関する情報を出力することを可能にすることができる。なお、制御装置１００は、ユーザによる計測手段の指定を受け付けた後、指定された計測手段に対応する電力に関する情報の送信を要求してもよい。例えば、制御装置１００は、ユーザによる計測手段の指定を受け付けた後、指定された計測手段に対応する電力に関する情報の送信をホームゲートウェイＧＷへ要求してもよい。なお、上記の例では、電力系統ＣＰから供給される電力や太陽光パネルＰＮが生成する電力を計測の対象とする例を示したが、計測管理システム１における電力であれば、どのような電力を計測の対象としてもよい。例えば、計測管理システム１は、蓄電池ＢＴへ供給される電力や一般負荷ＮＬに供給される電力など、目的に応じて種々の電力を計測の対象としてもよい。
【００５２】
［制御装置の構成例］
次に、図４を用いて、実施形態に係る制御装置１００の構成について説明する。図４は、実施形態に係る制御装置の構成を示すブロック図である。なお、図４には、実施形態に係る制御装置１００の構成のうち、計測手段により計測された電力に関する情報の表示に必要な構成のみを図示し、他の制御装置１００の構成については図示を省略する。図４に示すように、制御装置１００は、通信部１１０と、記憶部１２０と、制御部１３０と、操作部１４０と、出力部１５０を有する。
【００５３】
通信部１１０は、例えば、所定の通信回路等によって実現される。例えば、通信部１１０は、蓄電池ＢＴ等の計測管理システム１の他の構成と通信可能である。
【００５４】
記憶部１２０は、例えば、ＲＡＭ、フラッシュメモリ等の半導体メモリ素子、または、ハードディスク、光ディスク等の記憶装置によって実現される。記憶部１２０には、各種情報が記憶される。なお、実施形態に係る記憶部１２０は、図１に示す計測情報記憶部２１や設定情報記憶部２２を有してもよい。
【００５５】
制御部１３０は、各種の処理手順などを規定したプログラム及び所要データを格納するための内部メモリを有し、これらによって種々の処理を実行するが、特に本発明に密接に関連するものとしては、受信部１３１、選択部１３２、設定部１３３、及び送信部１３４を有する。
【００５６】
受信部１３１は、外部装置から各種情報を受信する。また、例えば、受信部１３１は、計測管理システム１の各構成から各種情報を受信する。例えば、受信部１３１は、ホームゲートウェイＧＷまたはサーバＳＶから各種情報を受信する。具体的には、受信部１３１は、電力系統ＣＰから供給される電力に関する情報をスマートメータＭＴから受信する。例えば、受信部１３１は、スマートメータＭＴが計測した電力系統ＣＰから供給される電力に関する情報をホームゲートウェイＧＷまたはサーバＳＶから受信する。また、受信部１３１は、電力系統ＣＰから供給される電力に関する情報を計測ユニットＭＵから受信する。例えば、受信部１３１は、計測ユニットＭＵが計測した電力系統ＣＰから供給される電力に関する情報をホームゲートウェイＧＷまたはサーバＳＶから受信する。また、受信部１３１は、電力系統ＣＰから供給される電力に関する情報を蓄電池ＢＴから受信する。例えば、受信部１３１は、蓄電池ＢＴが計測した電力系統ＣＰから供給される電力に関する情報をホームゲートウェイＧＷまたはサーバＳＶから受信する。また、受信部１３１は、計測ユニットＭＵから太陽光パネルＰＮが生成する電力に関する情報を受信する。例えば、受信部１３１は、計測ユニットＭＵが計測した太陽光パネルＰＮが生成する電力に関する情報をホームゲートウェイＧＷまたはサーバＳＶから受信する。また、受信部１３１は、パワーコンディショナＰＣから太陽光パネルＰＮが生成する電力に関する情報を受信する。例えば、受信部１３１は、パワーコンディショナＰＣが計測した太陽光パネルＰＮが生成する電力に関する情報をホームゲートウェイＧＷまたはサーバＳＶから受信する。また、例えば、受信部１３１は、ホームゲートウェイＧＷを介して計測管理システム１外のサーバＳＶ等の情報処理装置から各種情報を受信する。
【００５７】
選択部１３２は、各々が同一の対象における電力を計測する複数の計測手段のうち、一の計測手段を選択する。例えば、選択部１３２は、各々が同一の対象における電力を計測する複数の計測手段のうち、ユーザによる一の計測手段の指定に基づいて一の計測手段を選択する。また、例えば、選択部１３２は、操作部１４０によりユーザの計測手段の指定が受け付けられた場合、ユーザの指定に基づく計測手段を選択する。具体的には、選択部１３２は、電力系統ＣＰから供給される電力を計測するスマートメータＭＴ、計測ユニットＭＵ及び蓄電池ＢＴの３つの計測手段のうち、ユーザによる一の計測手段の指定に基づいて一の計測手段を選択する。また、選択部１３２は、太陽光パネルＰＮが生成する電力を計測する計測ユニットＭＵ及びパワーコンディショナＰＣの２つの計測手段のうち、ユーザによる一の計測手段の指定に基づいて一の計測手段を選択する。
【００５８】
また、選択部１３２は、複数の計測手段のうち、複数の計測手段に付された優先度に基づいて一の計測手段を選択する。例えば、選択部１３２は、複数の計測手段のうち、計測情報記憶部２１に記憶された優先度に基づいて一の計測手段を選択する。この点についての詳細は後述する。
【００５９】
計測管理システム１は、計測手段による電力の計測に関する設定を変更可能に構成される。例えば、設定部１３３は、複数の計測手段のうち所定の計測手段により計測される電力と所定の計測手段以外の他の計測手段により計測される同一の対象における電力とが所定の条件を満たす場合、他の計測手段による電力の計測に関する設定を変更する。
【００６０】
例えば、設定部１３３は、所定の計測手段であるスマートメータＭＴにより計測される電力と、スマートメータＭＴ以外の他の計測手段である計測ユニットＭＵにより計測される電力とが所定の条件を満たす場合、計測ユニットＭＵによる電力の計測に関する設定を変更する。具体的には、設定部１３３は、スマートメータＭＴにより計測される計測値と計測ユニットＭＵにより計測される計測値とが正負を反転させた値である場合、計測ユニットＭＵによる計測値を反転するように設定を変更する。なお、ここでいう正負を反転させた値とは、スマートメータＭＴにより計測される計測値と計測ユニットＭＵにより計測される計測値とのプラスマイナスの符号を合わせた場合に、両計測値が一致する場合に限らず、両計測値の差が所定の範囲内である場合も含むものとする。なお、設定部１３３の動作の詳細については後述する。
【００６１】
送信部１３４は、外部装置に各種情報を送信する。例えば、送信部１３４は、計測管理システム１の各構成へ各種情報を送信する。例えば、送信部１３４は、電力を計測する計測管理システム１の各構成へ計測した電力に関する情報を送信するように要求する。
【００６２】
操作部１４０は、ユーザによる各種操作を受け付ける。例えば、操作部１４０は、ユーザ操作を受け付けるボタン等により実現されてもよい。例えば、操作部１４０は、計測管理システム１に対するユーザの操作を受け付ける。具体的には、操作部１４０は、同一の対象における電力を計測する複数の計測手段のうち、一の計測手段の選択（指定）をユーザから受け付ける。また、操作部１４０は、同一の対象における電力を計測する複数の計測手段に対する優先度の設定を受け付けてもよい。例えば、操作部１４０は、同一の対象における電力を計測する複数の計測手段に対するユーザの指定を各計測手段の優先度として受け付けてもよい。なお、操作部１４０は、タッチパネルにより実現される場合、出力部１５０と一体に形成されてもよい。
【００６３】
出力部１５０は、選択部１３２により選択された一の計測手段により計測された同一の対象における電力に関する情報を出力する。例えば、出力部１５０は、ユーザの指定した計測手段の計測値を表示する。また、出力部１５０は、情報を出力可能であれば、どのような構成であってもよい。例えば、出力部１５０は、情報を表示するモニタであってもよいし、情報を音として出力するスピーカであってもよい。例えば、出力部１５０が情報を表示するモニタであってもよい。例えば、出力部１５０は、液晶ディスプレイや有機ＥＬ（Electro-Luminescence）ディスプレイ等によって実現される表示画面であり、各種情報を表示する。
【００６４】
［情報出力のフロー］
次に、計測管理システム１における電力に関する情報の出力について、図５及び図６を用いて説明する。図５は、実施形態に係る計測管理システムにおける電力に関する情報の出力の一例を示すフローチャートである。図６は、実施形態に係る計測管理システムにおける電力に関する情報の出力の一例を示す図である。まず、図５を用いて、計測管理システム１における電力に関する情報の出力の処理の流れを説明する。なお、図５では、計測対象が電力系統ＣＰから供給される電力である場合を例に説明する。
【００６５】
まず、計測管理システム１のホームゲートウェイＧＷまたはサーバＳＶは、各計測手段の計測値を受信する（ステップＳ１０１）。その後、ホームゲートウェイＧＷまたはサーバＳＶは、計測手段の優先度の設定がされているかを判定する（ステップＳ１０２）。例えば、ホームゲートウェイＧＷまたはサーバＳＶは、計測対象である電力系統ＣＰから供給される電力の計測手段に優先度の設定がされているかを判定する。
【００６６】
計測手段の優先度の設定がされている場合（ステップＳ１０２：Ｙｅｓ）、ホームゲートウェイＧＷまたはサーバＳＶは、優先度の最も高い計測手段の計測値を出力する（ステップＳ１０３）。例えば、ホームゲートウェイＧＷまたはサーバＳＶは、計測対象である電力系統ＣＰから供給される電力の計測手段のうち、優先度の最も高い計測手段の計測値を制御装置１００に出力させる。その後、ホームゲートウェイＧＷまたはサーバＳＶは、ステップＳ１０１に戻って処理を繰り返す。
【００６７】
一方、ホームゲートウェイＧＷまたはサーバＳＶは、計測手段の優先度の設定がされていない場合（ステップＳ１０２：Ｎｏ）、ユーザによる計測手段に指定を受け付けたかどうかを判定する（ステップＳ１０４）。ユーザによる計測手段に指定を制御装置１００により受け付けていない場合（ステップＳ１０４：Ｎｏ）、ホームゲートウェイＧＷまたはサーバＳＶは、ステップＳ１０４の処理を繰り返す。
【００６８】
一方、制御装置１００は、ユーザによる計測手段に指定を受け付けた場合（ステップＳ１０４：Ｙｅｓ）、ユーザに指定された計測手段の計測値を出力する（ステップＳ１０５）。その後、ホームゲートウェイＧＷまたはサーバＳＶは、ステップＳ１０１に戻って処理を繰り返す。なお、各計測手段に優先度が付されている場合であっても、ユーザによる指定を優先して出力してもよい。この場合、ステップＳ１０２の判定の可否に関わらずステップＳ１０４の判定を行い、ユーザによる指定がなかった場合に、優先度に基づく出力、すなわちステップＳ１０３の処理を行ってもよい。
【００６９】
次に、図６を用いて、計測管理システム１における電力に関する情報の出力について説明する。ここで、図６に示す例において、計測情報記憶部２１Ａは、各計測対象の計測手段について優先度が付されている。すなわち、図６において、制御装置１００は、計測情報記憶部２１Ａに記憶された各計測手段の優先度に基づいて選択される計測手段による計測値を出力する（ステップＳ２１）。
【００７０】
具体的には、計測対象「Ｔ１１（供給電力）」、すなわち電力系統ＣＰから供給される電力については、スマートメータＭＴが優先度１位であり、計測ユニットＭＵが優先度２位であり、蓄電池ＢＴが優先度３位であることを示す。すなわち、制御装置１００は、電力系統ＣＰから供給される電力については、優先度１位であるスマートメータＭＴにより計測された計測値を出力する。したがって、図６では、制御装置１００は、電力系統ＣＰから供給される電力としてスマートメータＭＴにより計測された計測値ＭＶ１１を出力する。
【００７１】
また、具体的には、計測対象「Ｔ１２（発電電力）」、すなわち太陽光パネルＰＮが生成する電力については、計測ユニットＭＵが優先度１位であり、パワーコンディショナＰＣが優先度２位であることを示す。すなわち、制御装置１００は、太陽光パネルＰＮが生成する電力については、優先度１位である計測ユニットＭＵにより計測された計測値を出力する。したがって、図６では、制御装置１００は、太陽光パネルＰＮが生成する電力として計測ユニットＭＵにより計測された計測値ＭＶ２２を出力する。
【００７２】
そのため、図６中の出力部１５０に示すように、電力系統ＣＰから供給される電力である「供給電力」として計測値「ＭＶ１１」を含み、太陽光パネルＰＮが生成する電力である「発電電力」として計測値「ＭＶ２２」を含む計測値情報Ｃ１が表示される。なお、制御装置１００は、優先度が上位の計測手段による計測値が取得できなかった場合、下位の優先度の計測手段による計測値を出力してもよい。
【００７３】
［計測ユニットによる計測］
なお、計測管理システム１は、スマートメータＭＴにより計測される電力と計測ユニットＭＵにより計測される電力とが所定の閾値以上相違する場合、計測ユニットＭＵに関する情報を出力してもよい。計測管理システム１は、スマートメータＭＴにより計測される電力と計測ユニットＭＵにより計測される電力とが所定の条件を満たす場合、計測ユニットＭＵによる電力の計測に関する設定を変更してもよい。この点について、図７及び図８を用いて説明する。図７は、実施形態に係る計測管理システムのスマートメータと計測ユニットの計測値が異なる場合における処理の一例を示す図である。図８は、実施形態に係る計測管理システムのスマートメータと計測ユニットの計測値が異なる場合における処理の一例を示すフローチャートである。まず、図７を用いて、スマートメータＭＴにより計測される電力と計測ユニットＭＵにより計測される電力とに基づく処理の概要を説明する。なお、図７において、設定情報記憶部２２の設定情報には「通常」が記憶されているものとする。すなわち、電力系統ＣＰから供給される電力における計測ユニットＭＵの計測値は反転されないことを示す。
【００７４】
図７中のグラフＧＲ１は、スマートメータＭＴによる計測値を示すグラフであり、直線ＬＮ１はスマートメータＭＴが計測する電力系統ＣＰから供給される電力（計測値ＭＶ１１）を示す。また、図７中のグラフＧＲ２は、計測ユニットＭＵによる計測値を示すグラフであり、直線ＬＮ２は計測ユニットＭＵが計測する電力系統ＣＰから供給される電力（計測値ＭＶ１２）を示す。ここで、図７の例では、電力系統ＣＰから供給される電力における計測ユニットＭＵの計測値を反転しない状態において計測値ＭＶ１２は、計測値ＭＶ１１の正負を反転させた値との差が所定の範囲内であるものとする。なお、図７中では、計測値ＭＶ１２は、計測値ＭＶ１１の正負を反転させた値との差が所定の範囲内である場合を「ＭＶ１２（＝−ＭＶ１１）」や「−ＭＶ１２（＝ＭＶ１１）」として示す。また、図７の例では、スマートメータＭＴにより計測される計測値ＭＶ１１と計測ユニットＭＵにより計測される計測値ＭＶ１２とは所定の閾値以上相違するものとする。
【００７５】
そのため、制御装置１００は、スマートメータＭＴにより計測される電力と計測ユニットＭＵにより計測される電力とが所定の閾値以上相違するとして、計測ユニットＭＵに関する情報を出力する（ステップＳ３１）。図７では、制御装置１００は、計測ユニットＭＵの計測値がスマートメータＭＴの計測値と異なることをユーザに通知する通知情報Ｃ２を出力部１５０に出力する。これにより、ユーザは、計測ユニットＭＵの計測値に問題があることを認識できる。
【００７６】
また、制御装置１００は、計測ユニットＭＵの計測値を反転しない状態において計測値ＭＶ１２が、計測値ＭＶ１１の正負を反転させた値との差が所定の範囲内であるため、計測ユニットＭＵの計測に関する設定を変更する（ステップＳ３２）。図７では、制御装置１００は、設定情報記憶部２２の設定情報を「通常」から「反転」に変更する。これにより、設定変更後の設定情報記憶部２２Ａの設定情報には「反転」が記憶される。制御装置１００は、ステップＳ３２における設定変更を反映させる（ステップＳ３３）。
【００７７】
図７中のグラフＧＲ３は、ステップＳ３３における設定反映後のスマートメータＭＴによる計測値を示すグラフであり、直線ＬＮ３はスマートメータＭＴが計測する電力系統ＣＰから供給される電力（計測値ＭＶ１１）を示す。また、図７中のグラフＧＲ４は、ステップＳ３３における設定反映後の計測ユニットＭＵによる計測値を示すグラフであり、直線ＬＮ４は、スマートメータＭＴが計測する電力系統ＣＰから供給される電力を反転させた計測値ＭＶ１１を示す。このように、制御装置１００は、設定情報記憶部２２の設定情報を「通常」から「反転」に変更することにより、計測ユニットＭＵの計測値をスマートメータＭＴの計測値に合わせることができる。
【００７８】
計測管理システム１においては、電力系統ＣＰから電力供給を受ける、すなわち買電する場合や、太陽光パネルＰＮが生成する電力を電力系統ＣＰへ供給する、すなわち売電する場合がある。そのため、制御装置１００は、計測ユニットＭＵの計測値がマイナス値であっても、計測ユニットＭＵの設定を変更すべきかどうかの判定は難しい。そのため、制御装置１００は、計測ユニットＭＵの計測値をスマートメータＭＴの計測値と比較することにより、計測ユニットＭＵの設定を変更すべきかどうかを適切に判定することができる。なお、上記の例では、説明の簡単化のために、制御装置１００が計測ユニットＭＵから取得した計測値を反転させる例を示したが、制御装置１００は、計測ユニットＭＵに計測した電力を反転するように指示してもよい。例えば、制御装置１００は、計測した電力を反転する処理を行うための情報を計測ユニットＭＵへ送信してもよい。この場合、制御装置１００は、計測ユニットＭＵにおいて反転された計測値を取得する。
【００７９】
例えば、計測器ＣＴが施工上の誤り等により、向きを逆に設置された場合、計測ユニットＭＵの計測値の正負が反転してしまう場合がある。このような場合に、上記の判定を行うことにより、計測管理システム１は、適切に計測ユニットＭＵの設定を変更することができる。これにより、計測管理システム１の管理者や計測ユニットＭＵの施工者等が、直接計測器ＣＴの設置された場所へ行くことなく、計測ユニットＭＵが計測する情報を適切な状態に変更することができる。なお、計測管理システム１は、上記の計測ユニットＭＵの設定の変更を行う場合、ユーザに計測ユニットＭＵの設定の変更を行うかを確認してもよい。この場合、計測管理システム１は、ユーザが計測ユニットＭＵの設定の変更を行うことを選択した場合に、計測ユニットＭＵの設定を変更してもよい。
【００８０】
なお、制御装置１００は、ステップＳ３２における設定変更を反映させるために、計測ユニットＭＵから取得した計測値を反転するように処理を行ってもよいし、計測値を反転させるように制御する制御情報を計測ユニットＭＵに送信してもよい。
【００８１】
次に、図８を用いて、計測管理システム１における計測ユニットＭＵに関する設定変更の処理の流れを説明する。なお、以下に示す処理においては、制御装置１００が行う場合を示すが、ステップＳ２０２における情報の出力以外の処理は、ホームゲートウェイＧＷまたはサーバＳＶが行ってもよい。
【００８２】
まず、計測管理システム１の制御装置１００は、計測ユニットＭＵの計測値がスマートメータＭＴの計測値と所定の閾値以上異なるかを判定する（ステップＳ２０１）。計測ユニットＭＵの計測値がスマートメータＭＴの計測値と所定の閾値以上異なる場合（ステップＳ２０１：Ｙｅｓ）、制御装置１００は、所定の情報を出力する（ステップＳ２０２）。例えば、制御装置１００は、計測ユニットＭＵの計測値がスマートメータＭＴの計測値と異なることをユーザに通知する通知情報Ｃ２を出力部１５０に出力する。また、計測ユニットＭＵの計測値がスマートメータＭＴの計測値と所定の閾値以上異ならない場合（ステップＳ２０１：Ｎｏ）、ステップＳ２０２の処理を行わずに、ステップＳ２０３の処理へ移る。
【００８３】
そして、制御装置１００は、計測ユニットＭＵの計測値がスマートメータＭＴの計測値と所定の条件を満たすかを判定する（ステップＳ２０３）。計測ユニットＭＵの計測値がスマートメータＭＴの計測値と所定の条件を満たす場合（ステップＳ２０３：Ｙｅｓ）、制御装置１００は、計測ユニットＭＵの計測値を反転するように設定する（ステップＳ２０４）。例えば、制御装置１００は、計測ユニットＭＵから取得した計測値を反転するように処理を行う。また、計測ユニットＭＵの計測値がスマートメータＭＴの計測値と所定の条件を満たさない場合（ステップＳ２０３：Ｎｏ）、ステップＳ２０４の処理を行わずに、ステップＳ２０１に戻って処理を繰り返す。
【００８４】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００８５】
１        計測管理システム
１００    制御装置
１１０    通信部
１３０    制御部
１３１    受信部
１３２    選択部
１３３    設定部
１３４    送信部
ＧＷ      ホームゲートウェイ
２０      記憶部
２１      計測情報記憶部
２２      設定情報記憶部
ＭＴ      スマートメータ
ＭＵ      計測ユニット
ＰＣ      パワーコンディショナ
ＢＴ      蓄電池
ＳＶ      サーバ
【図１】
0006775940.tif 000002
【図２】
0006775940.tif 000003
【図３】
0006775940.tif 000004
【図４】
0006775940.tif 000005
【図５】
0006775940.tif 000006
【図６】
0006775940.tif 000007
【図７】
0006775940.tif 000008
【図８】
0006775940.tif 000009